(57)【特許請求の範囲】
【請求項１】
大引きと、この大引きの上に、その大引きの長手方向と直角な幅方向に向けて載置して取り付けられるデッキ材と、前記大引きに上下方向に動かないようにして係合して取り付けられ、デッキ材を上方に動かないようにする取付部材を有したデッキであって、
前記大引きは、幅方向に離隔した左右一対の被係合部を備え、
前記取付部材は、左右方向に離隔した左右一対の取付係合部を備え、
前記被係合部は、上面と縦面と下面で幅方向の外側に開口し、かつ下面が上面よりも長い水平方向に向かう係合凹部を有し、
前記取付部材が、その左右方向が大引きの長手方向と直角な取付姿勢のときには、一対の取付係合部が一対の係合凹部の下面に接し、一対の取付係合部の対向端部が一対の係合凹部に嵌まり合うように係合し、取付部材は大引きに上下方向に動くことがないように係合して取り付けられ、
前記取付部材が、その左右方向が大引きの長手方向と直角に対して斜めである斜め姿勢のときには、一対の取付係合部が一対の係合凹部の下面に接し、かつ一対の取付係合部の対向端部が一対の係合凹部の上面と外れて取付部材は上下方向に移動可能となることを特徴とするデッキ。
【請求項２】
前記左右一対の取付係合部を取付係合板とし、
前記左右一方の取付係合板の対向端面を、その対向端部の前後方向一端寄りが他端寄りよりも左右他方に向けて突出した斜めとし、
前記左右他方の取付係合板の対向端面を、その対向端部の前後方向他端寄りが一端寄りよりも左右一方に向けて突出した斜めとし、
この対向端面間の距離を前記左右の係合凹部の上面の端面間の寸法よりも大きく、
左右一方の取付係合板の対向端面の前後方向一端寄りと左右他方の取付係合板の対向端面の前後方向他端寄りとの間の距離を一対の係合凹部の縦面間の寸法とほぼ同一とした請求項１記載のデッキ。
【請求項３】
請求項１又は２項に記載のデッキで使用される取付部材。
【請求項４】
請求項１記載のデッキにおいて、取付部材を大引きの上で斜め姿勢とし、この状態で取付部材を下方に移動して取付係合部を大引きの係合凹部と対向させ、その後に取付部材を回転して取付姿勢とすることで取付係合部を係合凹部の下面に接し、取付係合部の対向端部が係合凹部に嵌まり合うように係合して、取付部材を大引きに上下方向に動かないように取り付けることを特徴とする取付部材の取付方法。
【発明の詳細な説明】
【技術分野】
【０００１】
本発明は、テラスやバルコニー等のデッキ及び、そのデッキに用いる取付部材並びに、その取付部材を大引きに取り付ける方法に関する。
【背景技術】
【０００２】
デッキとしては、大引きの上にデッキ材を取り付けたものが知られている。
例えば、特許文献１に開示されたように、大引きの上部に取付部材を上下方向に動かないように係合して取り付け、大引きの上にデッキ材を載置すると共に、そのデッキ材が上方に動かないように取付部材で支持することでデッキ材を大引きに取り付けるようにしたデッキが提案されている。
【先行技術文献】
【特許文献】
【０００３】
【特許文献１】特開２０１０−２３６３１２号公報
【発明の概要】
【発明が解決しようとする課題】
【０００４】
前述した従来のデッキは、取付部材が大引きに上下方向に動かないように係合して取り付けているので、その取付部材をビス等の固着具で大引きに固定しなくとも取付部材でデッキ材が上方に動かないように支持でき、デッキ材の取り付けを簡単とすることができる。
しかしながら、大引きに取付部材を前述のように取り付けるために、取付部材を大引きの長手方向端部から長手方向に移動して係合し、その係合した状態で取付部材を大引きの長手方向にスライドして所定の位置に取り付けている。
また、大引きに取り付けた取付部材を取り外しするには、取付部材を大引きの長手方向にスライドして長手方向端部から抜き出すようにして取り外している。
このように、取付部材を大引きに取り付け、取り外しするには取付部材を大引きの長手方向にスライドしなければならず、その取付部材の取り付け、取り外しが大変面倒である。
【０００５】
また、バルコニーなど両入隅のデッキ取付現場では、大引きの長手方向両端部（両小口）が躯体に面するため、大引きを取り付けた状態で取付部材を大引きの長手方向端部からスライドして取り付けることが難しく、この場合には、あらかじめ取付部材を大引きに取り付けて仮配置し、その状態で大引きを取り付けるようにしている。
このために、取付部材の個数や向きを間違えた場合には、大引きを取り外して取付部材を増減したり、向きを修正しなければならず面倒である。
特に、取付部材の向きを間違えた場合は、その向きを間違えた取付部材以降全ての取付部材を取り外し、取り付けしなければならず、大変面倒である。
なお、取付部材の前後の形状は異なり、取付部材の前側が大引きの長手方向一側に向かうように取り付けられるので、取付部材の向きを間違えたときには向きを正しく修正する必要がある。
【０００６】
本発明の目的は、大引きの上から取付部材を、大引きに上下方向に動かないように係合して取り付けできるようにすることで、その取付部材を大引きの長手方向任意の位置に、簡単に取り付け、取り外しできるデッキとすることである。
【課題を解決するための手段】
【０００７】
本発明のデッキは、大引きと、この大引きの上に、その大引きの長手方向と直角な幅方向に向けて載置して取り付けられるデッキ材と、前記大引きに上下方向に動かないようにして係合して取り付けられ、デッキ材を上方に動かないようにする取付部材を有したデッキであって、
前記大引きは、幅方向に離隔した左右一対の被係合部を備え、
前記取付部材は、左右方向に離隔した左右一対の取付係合部を備え、
前記被係合部は、上面と縦面と下面で幅方向の外側に開口し、かつ下面が上面よりも長い水平方向に向かう係合凹部を有し、
前記取付部材が、その左右方向が大引きの長手方向と直角な取付姿勢のときには、一対の取付係合部が一対の係合凹部の下面に接し、一対の取付係合部の対向端部が一対の係合凹部に嵌まり合うように係合し、取付部材は大引きに上下方向に動くことがないように係合して取り付けられ、
前記取付部材が、その左右方向が大引きの長手方向と直角に対して斜めである斜め姿勢のときには、一対の取付係合部が一対の係合凹部の下面に接し、かつ一対の取付係合部の対向端部が一対の係合凹部の上面と外れて取付部材は上下方向に移動可能となることを特徴とするデッキである。
【０００９】
前述のデッキにおいては、前記左右一対の取付係合部を取付係合板とし、
前記左右一方の取付係合板の対向端面を、その対向端部の前後方向一端寄りが他端寄りよりも左右他方に向けて突出した斜めとし、
前記左右他方の取付係合板の対向端面を、その対向端部の前後方向他端寄りが一端寄りよりも左右一方に向けて突出した斜めとし、
この対向端面間の距離を前記左右の係合凹部の上面の端面間の寸法よりも大きく、
左右一方の取付係合板の対向端面の前後方向一端寄りと左右他方の取付係合板の対向端面の前後方向他端寄りとの間の距離を一対の係合凹部の縦面間の寸法とほぼ同一とすることができる。
このようにすれば、取付部材を斜め姿勢とすることで一対の取付係合板を大引きの上から係合凹部の下面に接するように置くことができ、その状態で取付部材を回転して取付姿勢とすれば左右一方の取付係合板の対向端部の前後方向一端寄りが一方の係合凹部に係合し、左右他方の取付係合板の対向端部の前後方向他端寄りが他方の係合凹部に係合するので、取付部材を大引きの上から、その大引きに上下方向に動かないように係合して取り付けできると共に、左右方向にも動かないようにできる。
【００１０】
前述のデッキにおいては、前記左右一方の取付係合板の対向端面と左右他方の取付係合板の対向端面を平行とすることが好ましい。
このようにすれば、係合凹部と係合する取付係合板の対向端部の面積を大きくできるから、取付部材を上方に動くことがないようにしっかりと支持する。
【００１１】
前述のデッキにおいては、前記大引きの係合凹部は、下横向片と縦向片と上横向片とで幅方向の外側に開口した水平方向に向かうコ字形状で、その下横向片は上横向片よりも幅方向外側に突出し、
前記一対の係合凹部の上横向片を連結横板で連続してデッキ材載置部とすることが好ましい。
このようにすれば、大引きに取付部材を取り付けた状態で、その大引きの連結横板にデッキ材を載置して取り付けできるから、大引きの長手方向に順次デッキ材を取り付ける際に、デッキ材を大引きの連結横板に沿って長手方向に移動でき、そのデッキ材の取り付け作業がやり易い。
【００１２】
本発明の取付部材は、請求項１又は２項に記載のデッキで使用される取付部材である。
【００１３】
本発明の取付部材の取付方法は、請求項１記載のデッキにおいて、取付部材を大引きの上で斜め姿勢とし、この状態で取付部材を下方に移動して取付係合部を大引きの係合凹部と対向させ、その後に取付部材を回転して取付姿勢とすることで取付係合部を係合凹部の下面に接し、取付係合部の対向端部が係合凹部に嵌まり合うように係合して、取付部材を大引きに上下方向に動かないように取り付けることを特徴とする取付部材の取付方法である。
【発明の効果】
【００１４】
本発明によれば、取付部材を斜め姿勢とすることで取付部材を大引きに対して上下方向に移動でき、その取付部材を取付姿勢とすることで取付部材を大引きに上下方向に動かないように係合して取り付けできるから、取付部材を大引きの上から大引きに上下方向に動かないように係合して取り付けできると共に、その取付部材を大引きの上に引き上げることで取り外しでき、取付部材を大引きの長手方向任意の位置に簡単に取り付け、取り外しできる。
しかも、取付部材を斜め姿勢として大引きの上から取付係合部が係合凹部の下面に接するように置き、その状態で取付部材を係合凹部の下面に沿って回転して取付姿勢とすることで取付係合部の対向端部が係合凹部に係合するので、取付部材を大引きの上からより簡単に取り付けできる。
【図面の簡単な説明】
【００１５】
【図１】デッキの平面図である。
【図２】図１のＡ−Ａ拡大詳細断面図である。
【図３】図２の平面図である。
【図４】図１のＢ−Ｂ拡大詳細断面図である。
【図５】取付部材の斜視図である。
【図６】取付部材の取付動作の説明図である。
【発明を実施するための形態】
【００１６】
図１に示すように、デッキ１は大引き２と、この大引き２に載置して取り付けたデッキ材３と、大引き２の上部に上下方向に動かないように係合して取り付けた取付部材４を有し、この取付部材４を利用してデッキ材３が上方に動かないように支持されている。
図１に示すデッキ１は、一対の側面幕板５と正面幕板６を有し、側面幕板５で端部のデッキ材３を覆っていると共に、正面幕板６で各デッキ材３の端面を覆っている。
【００１７】
大引き２は幅と高さを有した略矩形断面の長尺材で、複数の大引き２が、その幅方向に間隔を置いて平行に配置され、地面や床スラブなどに支持柱７を介して取り付けてある。例えば、４つの大引き２が幅方向に等間隔で平行に配置してある。
デッキ材３は厚さに比べて幅が広い長尺の板状で、その長手方向が大引き２の幅方向に向かうと共に、幅方向が大引き２の長手方向に向かうようにして複数の大引き２に渡って載置されている。例えば、デッキ材３と大引き２は直角に交差している。
取付部材４は各大引き２における隣接するデッキ材３と対向した位置にそれぞれ取り付けてあり、１つの取付部材４で隣接する２つのデッキ材３の幅方向端部を上方に動かないように支持している。
【００１８】
大引き２は図２と図３に示すように、本体２０と、この本体２０の上部寄りに設けた幅方向に離隔した左右一対の被係合部２１と、その本体２０の上部に設けたデッキ材載置部２２を有する。
例えば、大引き２は幅方向に離隔した水平方向に向かう一対の取付板２３と、各取付板２３と連続した上方に向かう一対の縦板２４と、各縦板２４の上端部と連続し水平方向に向けて相対向した下横向片２５と、各下横向片２５の対向端部と連続し上方に向かう縦向片２６と、各縦向片２６の上端部を連結する連結横板２７とで略下向きコ字形状の断面形状で、前記連結横板２７は一対の縦向片２６よりも幅方向外側に向けて突出し上横向片２８としてある。この上横向片２８は下横向片２５よりも短く、下横向片２５が上横向片２８よりも幅方向外側まで延出している。この一対の上横向片２８の突出端面２８ａは平行である。
【００１９】
前述した下横向片２５と縦向片２６と上横向片２８とで水平方向に向かうとともに幅方向の外側に開口した係合凹部２９を形成している。
この係合凹部２９は前述のように複数の片で構成することに限ることはなく、任意に構成できる。例えば本体２０の上部を厚肉の大きなブロック形状とし、その幅方向両端部を切削加工して係合凹部２９を構成しても良い。
つまり、係合凹部２９は下面と縦面と上面とで水平方向に向かうとともに幅方向外側に開口し、上面よりも下面が長いコ字形状とすれば良い。
【００２０】
そして、一対の取付板２３と一対の縦板２４で前述の本体２０とし、下横向片２５と縦向片２６と上横向片２８で係合凹部２９を有した被係合部２１とし、連結横板２７がデッキ材載置部２２としてある。
大引き２は、その取付板２３を前述の支持柱７に固着具で固着して取り付けられる。
【００２１】
デッキ材３は図４に示すように、２つの表面板３０を幅方向の一端板３１と幅方向の他端板３２と複数の仕切板３３で一体的に連結した複数の中空部を有する厚さよりも幅が大きい幅広で長尺の板状体である。
一端板３１の厚さ（上下）方向中間には凹部３４が長手方向に連続して有していると共に、この凹部３４よりも上部分３１ａが下部分３１ｂよりも幅方向一方に突出している。
他端板３２の厚さ（上下）方向中間には凹部３５が長手方向に連続して有し、この凹部３５は前述した凹部３４と厚さ方向に同一位置である。
他端板３２の凹部３５よりも下部分３２ａが上部分３２ｂよりも幅方向他方に突出している。
つまり、デッキ材３は幅方向の一側部と他側部とに幅方向の外側に開口した凹部３４，３５が長手方向に連続して有する。
なお、デッキ材３は前述の形状に限ることはなく、任意の形状のデッキ材を用いることができる。
【００２２】
取付部材４は図５に示すように、大引きの幅方向（以下左右方向という）に離隔した左右一対の取付係合部４０と、この一対の取付係合部４０間に跨って上向きに設けた立上り部４１と、この立上り部４１の上部に設けたデッキ材支持部４２を有している。
例えば、取付部材４は、左右方向に間隔を置いて配置した水平方向に向かう一対の取付係合板４３と、この一対の取付係合板４３の上面における大引きの長手方向（以下前後方向という）の中間に上向きに設けた端部縦板４４ａと、その一対の端部縦板４４ａに亘って一対に設けた左右方向に向かう中間部縦板４４ｂでほぼ下向きコ字形状の連結縦板４４と、この連結縦板４４の上端縁に設けた水平方向に向かう支持横板４５を有し、取付係合板４３が取付係合部４０で、連結縦板４４が立上り部４１で、支持横板４５がデッキ材支持部４２である。
【００２３】
一対の取付係合板４３の対向端部４３ａの前後方向一部分は、連結縦板４４の端部縦板４４ａにおける対向端面４４ａ−１よりも突出し、前述の大引き２の被係合部２１の係合凹部２９に嵌まり合って係合する。
【００２４】
取付部材４は大引き２に図２、図３に示すように、その取付部材４の左右方向が大引き２の長手方向と直角な取付姿勢として取り付けられ、取付係合板４３が大引き２の下横向片２５に接すると共に、取付係合板４３の対向端部４３ａの前後方向一部分が大引き２の係合凹部２９に嵌まり合って係合し、取付係合板４３が下横向片２５、上横向片２８に接することで、取付部材４は上下方向に動くことがない。
しかも、取付係合板４３の対向端面４３ｂの前後方向一部分が縦向片２６（係合凹部２９の縦面）に接することで、取付部材４は左右方向に動くことがない。
これにより、取付部材４は大引き２に上下方向、左右方向に動くことがないように取り付けられる。
【００２５】
取付部材４を大引き２の上から前述のように大引き２に取り付けるために、図３、図５に示すように取付部材４の左右一方（左）の取付係合板４３の対向端面４３ｂは、その対向端部４３ａが、その前後方向一端寄り（後方端部）４３ａ−１が前後方向他端寄り（前方端部）４３ａ−２よりも左右他方（右）に向けて突出すように、左右方向に向けて斜めとしてある。
左右他方（右）の取付係合板４３の対向端面４３ｂは、その対向端部４３ａが、その前後方向他端寄り（前方端部）４３ａ−２が前後方向一端寄り（後方端部）４３ａ−１よりも左右一方に（左）向けて突出するように、左右方向に向けて斜めとしてある。なお、左右一方の取付係合板４３の対向端面４３ｂは前端から後端までに渡って斜めとしてあるが、左右他方の取付係合板４３の対向端面４３ｂは後端から前端寄りまでに渡って斜めで、前端寄り部分は斜めではない。
この左右一対の取付係合板４３の対向端面４３ｂは平行である。
一対の取付係合板４３の対向端面４３ｂ間の距離Ｌ１が大引き２の一対の上横向片２８の突出端面２８ａ間の寸法Ｈ１よりも大きい。
前述の対向端面４３ｂ間の距離Ｌ１は、対向端面４３ｂと直角な方向の距離である。
【００２６】
このようであるから、大引き２の上方において取付部材４を図６に示すように、その取付部材４の左右方向が大引き２の長手方向と直角に対して左右方向に向けて斜めである斜め姿勢とすることで、一対の取付係合板４３が大引き２の一対の上横向片２８と干渉しないようにできるから、取付部材４を大引き２の上から取付係合板４３が下横向片２５に接し、取付係合板４３が係合凹部２９と相対すように下方に移動するることができるようにしてある。
【００２７】
そして、左右一方の取付係合板４３の対向端面４３ｂの前後方向一端寄りと左右他方の取付係合板３２の対向端面４３ｂの前後方向他端寄りとの間の距離Ｌ２は、一対の係合凹部２９の縦面（底面）間の寸法Ｈ２と同一又は若干小さい、つまりほぼ同一である。前述の距離Ｌ２とは大引き２の幅方向、つまり取付部材４の左右方向に沿った距離である。
【００２８】
このようであるから、図６に示す斜め姿勢の取付部材４を、その一対の取付係合板４３を大引き２の一対の下横向板２５に沿って移動しながら矢印ａ方向に回転することで図３に示す大引き２の長手方向と直角な取付姿勢とすることで、左右一方の取付係合板４３の対向端部４３ａにおける前後方向一端寄り４３ａ−１が左右一方の係合凹部２９に係合し、左右他方の取付係合板４３の対向端部４３ａにおける前後方向他端寄り４３ａ−２が左右他方の係合凹部２９に係合し、取付部材４は大引き２に上下方向に動かないと共に、左右方向に動かないように支持される。
また、前述のように取付係合板４３が下横向板２５をガイドとして回転するから、取付部材４をスムーズに回転することができる。
【００２９】
このようであるから、大引き２の上から取付部材４を大引き２に、上下方向に動かないと共に、左右方向に動かないように係合して取り付けでき、この取付部材４を大引き２の長手方向任意の位置に簡単に取り付けできる。
【００３０】
また、大引き２に取り付けてある取付部材２を取り外しするときは、図３に示す取付姿勢の取付部材４を矢印ｂ方向に回転して図６に示す斜め姿勢とし、取付部材４を上方に引き上げることが取り外しでき、大引き２の長手方向任意の位置に取り付けてある取付部材４を簡単に取り外しできる。
【００３１】
前述のように取付部材４を大引き２の上から取り付けできると共に、上に引き上げることで取り外しできるので、大引き２の長手方向任意の位置に取り付けてある取付部材４のみを取り外し、再び取り付けできるので、大引き２にあらかじめ複数の取付部材４を取り付けてデッキを施工する場合に、その取付部材４の個数や向きを間違えた場合には、簡単に取付部材４の個数を増減したり、向きを修正することができる。
【００３２】
この実施の形態では、左右一方の取付係合板４３の対向端面４３ｂと左右他方の取付係合板４３の対向端面４３ｂが平行であるから、取付部材４を斜め姿勢としたときに、その各対向端面４３ｂが大引き２の上横向片２８の突出端面と隙間なく平行とすることができ、取付部材４を直角な取付姿勢としたときに、その取付係合板４３の対向端部４３ａが係合凹部２８に入り込む面積を大きくできる。
なお、一対の取付係合板４３の対向端面４３ｂは平行でなくとも良いが、この場合には取付係合板４３の対向端部４３ａが係合凹部２８に入り込む面積が平行のときと比べて小さくなる。
【００３３】
デッキ材３は図４に示すように、大引き２のデッキ材載置部２２の上に載置し、取付部材４のデッキ材支持部４２（支持横板４５）を隣接した一方のデッキ材３の凹部３５と他方のデッキ材３の凹部３４に押しこんでデッキ材３を大引き２のデッキ材載置部２２に押しつけるようにして上方に動かないように取り付けられる。
【００３４】
例えば、既に取り付けられたデッキ材３の前後方向の後側において取付部材４を大引き２に取り付け、その取付部材４を大引き２の長手方向にスライドして支持横板４５の連結縦板４４よりも前方部分４５ａを、前述の既に取り付けられたデッキ材３の凹部３５に押し込んで連結縦板４４をデッキ材３の他端板３２の凹部３５よりも下部分３２ａに押しつける。
この状態で次のデッキ材３を大引き２のデッキ材載置部２２に載置し、そのデッキ材３を前述の取付部材４に向けてスライドして凹部３４を支持横板４５の連結縦板４４よりも後方部分４５ｂに押しこむと同時に、一端板３１の凹部３４よりも下部分３１ｂを連結縦板４４の打ち出し突片４４ｃに押しつける。
前述の動作を繰り返してデッキ材３を大引き２の前方から後方に向けて順次取り付ける。
【００３５】
前述のように取付部材４は隣接したデッキ材３で挟持されているので、大引き２の長手方向に動くことがないが、その取付部材４を固着具で大引き２に固定しても良い。
例えば、図５に示す取付係合板４３の連結縦板４４よりも前後方向の後方部分４３ｃに孔４６を形成し、その孔４６からビスを大引き２の下横向片２５に螺合することで固定する。
なお、前述のビスを螺合操作し易いように取付係合板４３の連結縦板４４よりも前後方向の後方部分４３ｃを、前方部分４３ｄよりも長くしてある。
【００３６】
図４に示すように、取付部材４の支持横板４５をデッキ材３の凹部３４，３５に押し込んでデッキ材３が上方に動かないようにしているが、その支持横板４５とデッキ材３の凹部３４，３５を固着具で固着し、デッキ材３が長手方向に動かないように固定しても良い。
例えば、支持横板４５の前方部分４５ａに孔４７を形成し、その孔４７からビスをデッキ材３の凹部３５に螺合して固定する。
なお、前述のビスを螺合操作し易くするために、支持横板４５の前方部分４５ａを後方部分４５ｂよりも長くしてあると共に、デッキ材３の他端板３２の凹部３５よりも上部分３２ｂを下部分３２ａよりも幅方向の内側位置としてある。
【００３７】
取付部材４でデッキ材３を上方に動かないように支持する構成は前述の構成に限ることはなく、任意の構成とすることができる。
例えば、取付部材４の連結縦板４４をデッキ材３の端面（他端板３２）にビスで固着してデッキ材３が上方に動かないようにする。この場合には支持横板４５が不要であると共に、デッキ材３の凹部３４，３５も不要である。
【００３８】
本発明は前述の実施の形態に限ることはなく、取付部材の取付係合部と大引きの被係合部が、その取付部材の大引きに対する姿勢を変えることで係合したり、係合が外れたりする構成とすれば良い。
つまり、本発明は、大引き２に左右一対の被係合部２１を幅方向に離隔して設け、取付部材４に左右一対の取付係合部４０を左右方向に離隔して設け、その取付部材４が、当該取付部材４の左右方向が大引き２の長手方向と直角な取付姿勢のときには取付係合部４０が被係合部２１に上下方向に動かないように係合し、取付部材４が、その取付部材４の左右方向が大引き２の長手方向と直角に対して斜めである斜め姿勢のときには係合が外れて取付係合部４０が被係合部２１に対して上下方向に移動できる構成とすれば良い。
好ましくは、被係合部２１が係合凹部２９を有し、取付部材４が取付姿勢のときには取付係合部４０の対向端部が係合凹部２９に嵌まり合うように係合し、取付部材４が斜め姿勢のときには取付係合部４０の対向端部が係合凹部２９の上内面（上横向片２８）と外れて上方に移動できる構成とする。
【００３９】
前述した取付部材４を大引き２に取り付けるには、取付部材４を大引き２の上で斜め姿勢とし、その状態で取付部材４を下方に移動して取り付け係合部４０を大引き２の被係合部２１と対向させ、その後に取付部材４を回転して取付姿勢とすることで取付係合部４０を被係合部２１に係合することで、取付部材４を大引き２に上下方向に動かないように取り付けすれば良い。
【００４０】
本発明の取付部材４は、従来の取付部材を長手方向端部から取り付けるようにした大引きに取り付けることも可能である。
【符号の説明】
【００４１】
１…デッキ、２…大引き、３…デッキ材、４…取付部材、２１…被係合部、２２…デッキ材載置部、２５…下横向片（下面）、２６…縦向片（縦面）、２７…連結横板、２８…上横向片（上面）、４０…取付係合部、４３…取付係合板、４３ａ…対向端部、４３ｂ…対向端面。
【図１】
0005822274.tif 000002
【図２】
0005822274.tif 000003
【図３】
0005822274.tif 000004
【図４】
0005822274.tif 000005
【図５】
0005822274.tif 000006
【図６】
0005822274.tif 000007